(57)【特許請求の範囲】
【請求項１】
ロール状シートの芯となる紙管において、
内側紙管原紙により構成された中空円筒の内層と、
前記内層の外周面に設けられた第１フィルムと、当該第１フィルムの外周面に剥離可能に設けられたガスバリア性の第２フィルムと、前記第１フィルムと前記第２フィルムとの間に配置された香料と、を有する中層と、
外側紙管原紙により構成され、前記内層及び前記中層の外周面に設けられた外層と、を備え、
前記第２フィルムは、前記内層の前記内側紙管原紙が巻回される際の継ぎ目部分から前記内層の内周面側へとはみ出すようにして、当該紙管の使用者が掴むことができる幅を有する帯状に延出した延出部を有することを特徴とする紙管。
【請求項２】
前記外層は、前記外側紙管原紙が螺旋状に巻回されて構成されるとともに、巻回される際の継ぎ目部分に隙間を有することを特徴とする請求項１に記載の紙管。
【請求項３】
前記第２フィルムは、色付け、若しくは、マーキングされていることを特徴とする請求項１又は２に記載の紙管。
【請求項４】
請求項１から３のいずれか一項に記載の紙管と、
前記紙管を芯として巻回されたシートと、を備えることを特徴とするロール状シート。
【発明の詳細な説明】
【技術分野】
【０００１】
本発明は、紙管及び当該紙管を使用したロール状シートに関する。
【背景技術】
【０００２】
従来、トイレットペーパーが紙管に巻回されたトイレットロールにおいて、紙管に香料を付与したものが知られている。このような香り付きのトイレットロールにおいては、使用中の香りの持続性の他に、使用開始までは香料が揮発しない性能（以下、保香性）が要求される。
【０００３】
しかし、トイレットロールは製造後に複数個まとめてポリエチレンやポリプロピレン等からなる包装フィルムで包装された状態で出荷され、消費者に使用されるまでにはかなりの時間を要するため、使用時に香りが弱くなるという問題があった。また、倉庫保管時又は店頭陳列時等に他製品へ臭気が影響するという問題もあった。
【０００４】
そこで、例えば、紙管を構成する内側中空円筒と外側中空円筒との間に香料を介在させると共に、内側中空円筒、或いは、外側中空円筒に複数の穿孔を設けることにより、特に初期段階での香りの揮発が不十分であった欠点を解消し、常時均一な揮発効果を得られる香り付きトイレットロールが開示されている（例えば、特許文献１参照）。
【先行技術文献】
【特許文献】
【０００５】
【特許文献１】特許第４１５９０６１号公報
【発明の概要】
【発明が解決しようとする課題】
【０００６】
しかしながら、特許文献１に記載されたようなトイレットロールでは、内側中空円筒と外側中空円筒との間に香料を介在させるため、使用開始までの香料の揮発をある程度抑制できるものの、徐々にではあるが香料が揮発するために、トイレットロールの製造後、消費者の使用開始までの時間が長い場合には、やはり、使用時に香りが弱くなってしまうといった問題点があった。
【０００７】
本発明の課題は、使用開始までの香料の揮発を防ぎ、消費者の選択により香料の揮発を開始できる紙管及び当該紙管を使用したロール状シートを提供することにある。
【課題を解決するための手段】
【０００８】
前記課題を解決するために、請求項１記載の発明は、
ロール状シートの芯となる紙管において、
内側紙管原紙により構成された中空円筒の内層と、
前記内層の外周面に設けられた第１フィルムと、当該第１フィルムの外周面に剥離可能に設けられたガスバリア性の第２フィルムと、前記第１フィルムと前記第２フィルムとの間に配置された香料と、を有する中層と、
外側紙管原紙により構成され、前記内層及び前記中層の外周面に設けられた外層と、を備え、
前記第２フィルムは、前記内層の前記内側紙管原紙が巻回される際の継ぎ目部分から前記内層の内周面側へとはみ出すようにして、当該紙管の使用者が掴むことができる幅を有する帯状に延出した延出部を有することを特徴とする。
【０００９】
請求項２記載の発明は、請求項１に記載の紙管において、
前記外層は、前記外側紙管原紙が螺旋状に巻回されて構成されるとともに、巻回される際の継ぎ目部分に隙間を有することを特徴とする。
【００１１】
請求項３記載の発明は、請求項１又は２に記載の紙管において、
前記第２フィルムは、色付け、若しくは、マーキングされていることを特徴とする。
【００１２】
請求項４に記載の発明は、ロール状シートにおいて、
請求項１から３のいずれか一項に記載の紙管と、
前記紙管を芯として巻回されたシートと、を備えることを特徴とする。
【発明の効果】
【００１３】
本発明によれば、第２フィルムにより使用開始までの香料の揮発を防止することができ、第２フィルムを剥離することにより香料が揮発されるので、消費者の選択により香料の揮発を開始させることができる。
【図面の簡単な説明】
【００１４】
【図１】本発明のロール状トイレットペーパーの斜視図である。
【図２】本発明の紙管の側面図（ａ）、Ｘ−Ｘ部断面図（ｂ）及びＹ−Ｙ部断面図（ｃ）である。
【図３】本発明の紙管の紙管形成前の平面図（ａ）及びＸ−Ｘ部断面図（ｂ）である。
【図４】本発明の紙管の形成方法を示す説明図である。
【発明を実施するための形態】
【００１５】
以下、図面を参照しつつ、本発明の実施形態である紙管及び当該紙管を使用したロール状シートを詳細に説明する。但し、発明の範囲は、図示例に限定されない。
【００１６】
（実施形態）
本実施の形態では、シートとしてトイレットペーパーを例示して、ロール状シートとしてロール状トイレットペーパーを例示して、説明することとする。
【００１７】
＜ロール状トイレットペーパー＞
ロール状トイレットペーパー１００は、例えば、図１に示すように、紙管１と、紙管１を芯として巻回されたトイレットペーパー２と、などを備えて構成され、紙管１内にペーパーホルダーの支持部を挿入した状態で、トイレットペーパー２を引き出して使用するのが一般的である。
ロール状トイレットペーパー１００の大きさは特に限定されないが、直径１００〜１２０ｍｍ、幅１００〜１１５ｍｍ、紙管径３５〜５０ｍｍのものが一般的であり、本発明においても好適である。
【００１８】
トイレットペーパー２を構成する原紙は、原料パルプを主原料とする薄葉紙用抄紙原料により製造できる。その原料パルプは、特に限定されるものではなく、トイレットペーパー２の具体的な用途に応じて適宜の原料パルプを選択し、また適宜配合して使用することができる。
【００１９】
また、トイレットペーパー２のプライ数及び坪量は、その用途によって適宜調整することができるが、プライ数が１プライから３プライ、全体での紙厚１００〜２７０μｍ、１プライあたりの坪量は１０〜３０ｇ／ｍ２の範囲内にあるものを使用するのが望ましい。坪量が１０ｇ／ｍ２未満では、柔らかさの向上の観点からは好ましいものの、使用に耐えうる十分な強度を適正に確保することが困難となる。逆に、坪量が３０ｇ／ｍ２を超えると紙全体が硬くなると共に、ゴワ付き感が生じてしまい肌触りが悪くなる。なお、坪量の測定方法は、ＪＩＳ  Ｐ  ８１２４（１９９８）による。また、紙厚の測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は、１プライの場合は１プライで測定し、複数プライの場合は複数プライで測定する。測定値は、測定を１０回行って得られる平均値とする。
【００２０】
＜紙管＞
紙管１は、例えば、図１に示すように、略中空円筒形状をなしている。
図２は、紙管１の側面図、Ｘ−Ｘ部断面図及びＹ−Ｙ部断面図であって、図２（ａ）の側面図に示すように、紙管１は、内側紙管原紙１１（内側のため図面には付番せず。）及び外側紙管原紙１２が共に螺旋状に巻かれて接着剤で貼り合わされた二層積層構造のスパイラル紙管である。
好ましくは、坪量１２０〜２２０ｇ／ｍ２、紙厚１５０〜５００μｍの内側紙管原紙１１及び外側紙管原紙１２を螺旋状に巻いて二層積層構造にしたスパイラル紙管が紙管１の強度を確保しやすい。
例えば、図２（ａ）中のＪＴ２１、ＪＴ２２及びＪＴ２３に示す実線は、外側紙管原紙１２を螺旋状に巻いて構成される外層ＯＬ２１の図面前面側に形成される外側紙管原紙１２の継ぎ目部分であり、また、ＪＴ２４及びＪＴ２５に示す破線は、外側紙管原紙１２を螺旋状に巻いて構成される外層ＯＬ２１の図面裏面側に形成される外側紙管原紙１２の継ぎ目部分である。
また、外側紙管原紙１２の継ぎ目部分を形成する際に、継ぎ目部分に隙間が生じるように形成することにより、当該隙間から紙管１外部に香料を揮発させることができる。
なお、図２（ａ）中の付番していない他の破線は、内側紙管原紙１１を螺旋状に巻いて構成される内層ＩＬ２１に形成される内側紙管原紙１１の継ぎ目部分である。
【００２１】
また、図２（ｂ）のＸ−Ｘ部断面図及び図２（ｃ）のＹ−Ｙ部断面図に示すように、紙管１は、内側紙管原紙１１を螺旋状に巻いた中空円筒からなる内層ＩＬ２１と、内層ＩＬ２１の外周面に設けられ表面に香料が塗布された第１フィルムとしての香料フィルム１３と、当該香料フィルム１３の外周面に剥離可能に設けられ香料の揮発を防止する第２フィルムとしての被膜用フィルム１４とを備えて構成される中層ＭＬ２１と、さらに、外側紙管原紙１２により構成され内層ＩＬ２１及び中層ＭＬ２１の外周面に螺旋状に巻かれて設けられた外層ＯＬ２１と、を有している。
【００２２】
香料フィルム１３及び被膜用フィルム１４は、香料から揮発する気体を透過させにくいガスバリア性（非通気性）のフィルムであり、例えば、エチレン−ビニルアルコール共重合体（ＥＶＯＨ）のフィルムが用いられる。
香料フィルム１３及び被膜用フィルム１４は、非通気性であれば厚みは基本的に任意であるが、操作性、例えば、指で掴んで剥がす時に掴み易い厚さが好ましい。
但し、薄すぎると破れたりする可能性があり、また、厚みがありすぎると、単純なコストアップになるので、通常の日用品で使われている程度の厚み１０〜１２０μｍが好適である。
そして、香料フィルム１３及び被膜用フィルム１４は、香料と剥離可能な接着剤を混合したもので貼り合わされ、或いは、香料フィルム１３の表面に香料を塗布し、当該表面に被膜用フィルム１４をヒートシールで溶着させることにより、香料フィルム１３から被膜用フィルム１４を剥離可能な状態に貼り合わされる。
【００２３】
香料フィルム１３と被膜用フィルム１４との間に含有させる香料は、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモス又はモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料、あるいはこれらの２つ以上の混合物を上げることができる。市販品を使用することもできる。
【００２４】
また、被膜用フィルム１４は、内側紙管原紙１１の短手方向の一端からはみ出すように配置され、例えば、２０〜４０ｍｍ程度のはみ出し幅を有する。これにより、内側紙管原紙１１を螺旋状に巻いて紙管１を形成する際に、被膜用フィルム１４の一端は、内側紙管原紙１１の継ぎ目部分から内層ＩＬ２１の内周面から延出して延出部ＥＸ２１を形成する。
【００２５】
ちなみに、図２（ｂ）及び（ｃ）においては、各層（内層、中層、外層）の構成を見やすくするため、香料フィルム１３及び被膜用フィルム１４の厚さを誇張して表現しているが、実際には、内側紙管原紙１１及び外側紙管原紙１２と比較して、香料フィルム１３及び被膜用フィルム１４の厚さは薄く、内側紙管原紙１１と外側紙管原紙１２との間に塗布された酢酸ビニル系等の接着剤によって、貼り合わされることになる。
但し、外側紙管原紙１２と被膜用フィルム１４との間には接着剤は塗布されず、或いは、剥離可能な接着剤によって接着され、且つ、被膜用フィルム１４は、香料フィルム１３の外周面に剥離可能に貼り付けられている。
【００２６】
ここで、紙管１の形成方法について図３及び図４を用いて説明する。図３は、本発明の紙管１の紙管形成前の平面図（ａ）及びＸ−Ｘ部断面図（ｂ）であり、図４は、本発明の紙管１の形成方法を示す説明図（斜視図）である。
【００２７】
図３（ａ）及び（ｂ）に示すように、内側紙管原紙１１上に、香料フィルム１３と被膜用フィルム１４とを剥離可能な状態で貼り合わせたフィルムを重ね、さらに、外側紙管原紙１２を内側紙管原紙１１の短手方向に対して垂直方向、具体的には、図面左側にずらして重ねる。
【００２８】
この時、香料フィルム１３は、内側紙管原紙１１上に位置するように配置するものの、被膜用フィルム１４は、香料フィルム１３からの香料の揮発を防止するために香料フィルム１３全体を覆うと共に、内側紙管原紙１１の一端からのはみ出部分ＷＤ３１が生じるようにして配置される。
【００２９】
そして、図４に示すように、図３において重ねられたこれらの内側紙管原紙１１等を、矢印ＷＮ４１の示すように螺旋状に巻いて行くことにより、長尺の中空円筒が構成され、構成された長尺の中空円筒を所定の長さに適宜切断することにより、紙管１が形成される。
【００３０】
ちなみに、内側紙管原紙１１等を、矢印ＷＮ４１の示すように螺旋状に巻いて行く際には、少なくとも、内側紙管原紙１１と、香料フィルム１３と被膜用フィルム１４とを剥離可能な状態で貼り合わせたフィルムとは同時に巻く必要性がある。
【００３１】
すなわち、内側紙管原紙１１と、香料フィルム１３と被膜用フィルム１４とを剥離可能な状態で貼り合わせたフィルムとを同時に巻くことにより、内側紙管原紙１１等を図４中の矢印ＷＮ４１の示すように螺旋状に巻いて行く際に、内側紙管原紙１１が、被膜用フィルム１４のはみ出部分ＷＤ３１の上に重なることになり、結果として、被膜用フィルム１４のはみ出部分ＷＤ３１は、内側紙管原紙１１の継ぎ目部分から内層ＩＬ２１の内周面の側に延出して延出部ＥＸ２１を形成することになる。
【００３２】
このように形成された紙管１を使用したロール状シート１００は、製造時点から家庭内で保管されている間において、ガスバリア性（非通気性）を有する香料フィルム１３と被膜用フィルム１４との間に香料を保持することができるため、当該香料が揮発することなく保香性を有することになる。
【００３３】
また、ロール状シート１００の使用開始時に、消費者が被膜用フィルム１４を剥離、より具体的には、内側紙管原紙１１の継ぎ目部分から内層ＩＬ２１の内周面の側に延出した被膜用フィルム１４の延出部ＥＸ２１を引っ張って、香料フィルム１３から被膜用フィルム１４を剥離させることにより、初めて、香料の揮発を開始させることができる。
【００３４】
（実施例）
ここで、表２は、表１に示す条件において、実施例及び比較例をポリエチレンフィルムに密閉した上で、保管期間内の製品劣化を想定して、室温５０度、湿度５０％の条件で、２４時間静置後、４８時間の常温保管後における芳香の強さの関係を示す試験結果である。
なお、実施例の「ポリエチレンフィルム開封時」及び「芳香の強さ」は、被膜用フィルム１４を剥離後に試験したものである。
【００３５】
【表１】
0006387277.tif 000002
【００３６】
【表２】
0006387277.tif 000003
【００３７】
表１において、芳香の強さ「○」は、３人の検証者が「十分に香りを感じる。」、芳香の強さ「△」は、３人の検証者が「やや香りを感じる。」、芳香の強さ「×」は、３人の検証者が「ほとんど香りを感じない。」として評価した。
【００３８】
表１から明らかなように、実施例では、室温５０度、湿度５０％の条件で、２４時間静置後、４８時間の常温保管時においては、香料がポリエチレンフィルムの外部に揮発することなく十分な保香性を有する。
一方、ポリエチレンフィルム開封後に、ロール状シート１００を使用する際に、消費者が香料フィルム１３から被膜用フィルム１４を剥離させることにより、初めて、香料の揮発を開始させることができ、その芳香の強さも十分である。
【００３９】
以上のように、本発明の実施形態では、内側紙管原紙１１が螺旋状に巻回されて構成された中空円筒の内層ＩＬ２１と、内層ＩＬ２１の外周面に設けられた香料フィルム１３と、当該香料フィルム１３の外周面に剥離可能に設けられたガスバリア性の被膜用フィルム１４と、香料フィルム１３と被膜用フィルム１４との間に配置された香料と、を有する中層ＭＬ２１と、外側紙管原紙１２により構成され、内層ＩＬ２１及び中層ＭＬ２１の外周面に設けられた外層ＯＬ２１と、を有し、香料フィルム１３は、内層ＩＬ２１よりも外側に延出した延出部ＥＸ２１を有することにより、製造時点から家庭内で保管されている間においては、香料は、ガスバリア性を有する香料フィルム１３と被膜用フィルム１４との間に保持されているため、当該香料が揮発することなく保香性を有することになるので、使用時に香りが弱くなるといったり、倉庫保管時又は店頭陳列時等に他製品へ臭気が影響するという問題を防止できる。
【００４０】
また、ロール状シート１００の使用開始時に、消費者が香料フィルム１３から被膜用フィルム１４を剥離させることにより、初めて、香料の揮発を開始させることができるので、消費者の選択により香料の揮発を開始することができる。
【００４１】
さらに、香料フィルム１３から被膜用フィルム１４を剥離させた後、香料が内側紙管原紙１１と外側紙管原紙１２との間で揮発することにより、徐放効果（香料が徐々に放出される）も奏することになる。
【００４２】
なお、本発明の実施形態では、内側紙管原紙１１及び外側紙管原紙１２が共に螺旋状に巻かれて接着剤で貼り合わされた二層積層構造のスパイラル紙管が例示されているが、勿論、長方形の内側紙管原紙１１及び外側紙管原紙１２を軸に対して垂直方向に一層だけ巻きつける二層積層構造の平巻き紙管であってもよい。
【００４３】
また、紙管１を、平巻き紙管とした場合、スパイラル紙管のように内側紙管原紙１１の継ぎ目部分は形成されないため、被膜用フィルム１４の延出部は、紙管１の一端、或いは、両端から紙管の長手方向に延出して形成される。
【００４４】
また、消費者が香料フィルム１３から被膜用フィルム１４を剥離する際に、被膜用フィルム１４（特に、被膜用フィルム１４の延出部ＥＸ２１）を視認し易くするため、被膜用フィルム１４に色付け、若しくは、マーキングを施してもよい。
【００４５】
また、被膜用フィルム１４に対する色付け、若しくは、マーキングとしては、被膜用フィルム１４全体に亘って施すのではなく、被膜用フィルム１４の延出部ＥＸ２１のみに施してもよい。
特に、内側紙管原紙１１と外側紙管原紙１２との間に介在している剥離前の被膜用フィルム１４の色付け等しても、その時点では消費者からは何ら視認できないので、その部分の色付け等を省略することにより、コスト削減等を図ることができる。
【符号の説明】
【００４６】
１  紙管
２  トイレットペーパー（シート）
１１  内側紙管原紙
１２  外側紙管原紙
１３  香料フィルム（第１フィルム）
１４  被膜用フィルム（第２フィルム）
１００  ロール状トイレットペーパー（ロール状シート）
ＩＬ２１  内層
ＭＬ２１  中層
ＯＬ２１  外層
ＥＸ２１  延出部
ＷＤ３１  はみ出部分
【図１】
0006387277.tif 000004
【図２】
0006387277.tif 000005
【図３】
0006387277.tif 000006
【図４】
0006387277.tif 000007